【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
ＥＬ素子を有する画素がマトリックス状に配置された表示画面と、
ソース信号線と接続され、映像信号電圧を出力するソースドライバ回路と、
前記画素行を選択するゲートドライバ回路を有するＥＬ表示装置において、
前記画素には、前記ＥＬ素子に電流を供給する駆動用トランジスタと、第１のスイッチトランジスタと、第２のスイッチトランジスタと、第３のスイッチトランジスタと、第４のスイッチトランジスタと、第５のスイッチトランジスタとが形成されており、
前記駆動用トランジスタはゲート端子と第１の端子と第２の端子を有し、
前記第１のスイッチトランジスタの第１の端子は、第１の電圧が印加された配線と接続され、前記第１のスイッチトランジスタの第２の端子は、前記駆動用トランジスタのゲート端子と接続され、
前記第１のスイッチトランジスタの第１の端子は、第１の電圧が印加され、前記第１のスイッチトランジスタの第２の端子は、前記駆動用トランジスタのゲート端子と接続され、
前記第２のスイッチトランジスタの第１の端子は、前記駆動用トランジスタの第１の端子と接続され、前記第２のスイッチトランジスタの第２の端子は、前記駆動用トランジスタのゲート端子と接続され、
前記第３のスイッチトランジスタの第１の端子は、前記駆動用トランジスタの第１の端子と接続され、前記第３のスイッチトランジスタの第２の端子は、前記ＥＬ素子の１端子と接続され、
前記第４のスイッチトランジスタの第１の端子は、前記ソース信号線と接続され、前記第４のスイッチトランジスタの第２の端子は、前記駆動用トランジスタの第２の端子と接続され、
前記第５のスイッチトランジスタの第１の端子は、第２の電圧が印加され、前記第５のスイッチトランジスタの第２の端子は、前記駆動用トランジスタの第２の端子と接続されており、
第１の期間に、前記第１のスイッチトランジスタをオンさせて、前記駆動用トランジスタに、前記第１の電圧を印加し、
第１の期間後の第２の期間に、前記第２のスイッチトランジスタ及び前記第４のスイッチトランジスタをオンさせて、前記駆動用トランジスタに、前記ソース信号線に印加された第３の電圧を印加し、
第２の期間後の第３の期間に、前記第３のスイッチトランジスタ及び前記第４のスイッチトランジスタをオンさせて、前記ソース信号線に印加された第２の電圧を印加して、前記ソース信号線に流れる電流値を取得する
ことを特徴とするＥＬ表示装置の駆動方法。
【請求項２】
ＥＬ素子を有する画素がマトリックス状に配置された表示画面と、
複数のソース信号線と接続され、映像信号電圧を出力するソースドライバ回路と、
前記画素行を選択するゲートドライバ回路を、
前記複数のソース信号線から少なくとも１本のソース信号線を選択し、選択したソース信号線に流れる電流を出力する出力線を有する選択回路を有するＥＬ表示装置において、
前記画素には、前記ＥＬ素子に電流を供給する駆動用トランジスタと、第１のスイッチトランジスタと、第２のスイッチトランジスタと、第３のスイッチトランジスタと、第４のスイッチトランジスタと、第５のスイッチトランジスタとが形成されており、
前記駆動用トランジスタはゲート端子と第１の端子と第２の端子を有し、
前記第１のスイッチトランジスタの第１の端子は、第１の電圧が印加された配線と接続され、前記第１のスイッチトランジスタの第２の端子は、前記駆動用トランジスタのゲート端子と接続され、
前記第１のスイッチトランジスタの第１の端子は、第１の電圧が印加され、前記第１のスイッチトランジスタの第２の端子は、前記駆動用トランジスタのゲート端子と接続され、
前記第２のスイッチトランジスタの第１の端子は、前記駆動用トランジスタの第１の端子と接続され、前記第２のスイッチトランジスタの第２の端子は、前記駆動用トランジスタのゲート端子と接続され、
前記第３のスイッチトランジスタの第１の端子は、前記駆動用トランジスタの第１の端子と接続され、前記第３のスイッチトランジスタの第２の端子は、前記ＥＬ素子の１端子と接続され、
前記第４のスイッチトランジスタの第１の端子は、前記ソース信号線と接続され、前記第４のスイッチトランジスタの第２の端子は、前記駆動用トランジスタの第２の端子と接続され、
前記第５のスイッチトランジスタの第１の端子は、第２の電圧が印加され、前記第５のスイッチトランジスタの第２の端子は、前記駆動用トランジスタの第２の端子と接続されており、
第１の期間に、前記第１のスイッチトランジスタをオンさせて、前記駆動用トランジスタに、前記第１の電圧を印加し、
第１の期間後の第２の期間に、前記第２のスイッチトランジスタ及び前記第４のスイッチトランジスタをオンさせて、前記駆動用トランジスタに、前記ソース信号線に印加された第３の電圧を印加し、
第２の期間後の第３の期間に、前記第３のスイッチトランジスタ及び前記第４のスイッチトランジスタをオンさせて、前記ソース信号線に印加された第２の電圧を印加し、
前記第３の期間に、前記選択回路は少なくとも１本のソース信号線を選択し、前記出力線に流れる電流値を取得する
ことを特徴とするＥＬ表示装置の駆動方法。
【請求項３】
前記第１の電圧は、リセット電圧である
ことを特徴とする請求項１又は２記載のＥＬ表示装置の駆動方法。
【請求項４】
前記第２の電圧は、アノード電圧である
ことを特徴とする請求項１又は２記載のＥＬ表示装置の駆動方法。
【請求項５】
前記第１のスイッチトランジスタは、マルチゲート構造である
ことを特徴とする請求項１又は２記載のＥＬ表示装置の駆動方法。
【請求項６】
前記第２のスイッチトランジスタは、マルチゲート構造である
ことを特徴とする請求項１又は２記載のＥＬ表示装置の駆動方法。
【手続補正２】
【補正対象書類名】明細書
【補正対象項目名】発明の名称
【補正方法】変更
【補正の内容】
【発明の名称】ＥＬ表示装置の駆動方法
【手続補正３】
【補正対象書類名】明細書
【補正対象項目名】０００８
【補正方法】変更
【補正の内容】
【０００８】
本発明は、ＥＬ素子を有する画素がマトリックス状に配置された表示画面と、ソース信号線と接続され、映像信号電圧を出力するソースドライバ回路と、前記画素行を選択するゲートドライバ回路を有するＥＬ表示装置において、前記画素には、前記ＥＬ素子に電流を供給する駆動用トランジスタと、第１のスイッチトランジスタと、第２のスイッチトランジスタと、第３のスイッチトランジスタと、第４のスイッチトランジスタと、第５のスイッチトランジスタとが形成されており、前記駆動用トランジスタはゲート端子と第１の端子と第２の端子を有し、前記第１のスイッチトランジスタの第１の端子は、第１の電圧が印加された配線と接続され、前記第１のスイッチトランジスタの第２の端子は、前記駆動用トランジスタのゲート端子と接続され、前記第１のスイッチトランジスタの第１の端子は、第１の電圧が印加され、前記第１のスイッチトランジスタの第２の端子は、前記駆動用トランジスタのゲート端子と接続され、前記第２のスイッチトランジスタの第１の端子は、前記駆動用トランジスタの第１の端子と接続され、前記第２のスイッチトランジスタの第２の端子は、前記駆動用トランジスタのゲート端子と接続され、前記第３のスイッチトランジスタの第１の端子は、前記駆動用トランジスタの第１の端子と接続され、前記第３のスイッチトランジスタの第２の端子は、前記ＥＬ素子の１端子と接続され、前記第４のスイッチトランジスタの第１の端子は、前記ソース信号線と接続され、前記第４のスイッチトランジスタの第２の端子は、前記駆動用トランジスタの第２の端子と接続され、前記第５のスイッチトランジスタの第１の端子は、第２の電圧が印加され、前記第５のスイッチトランジスタの第２の端子は、前記駆動用トランジスタの第２の端子と接続されており、第１の期間に、前記第１のスイッチトランジスタをオンさせて、前記駆動用トランジスタに、前記第１の電圧を印加し、第１の期間後の第２の期間に、前記第２のスイッチトランジスタ及び前記第４のスイッチトランジスタをオンさせて、前記駆動用トランジスタに、前記ソース信号線に印加された第３の電圧を印加し、第２の期間後の第３の期間に、前記第３のスイッチトランジスタ及び前記第４のスイッチトランジスタをオンさせて、前記ソース信号線に印加された第２の電圧を印加して、前記ソース信号線に流れる電流値を取得することを特徴とするＥＬ表示装置の駆動方法である。
また、本発明は、ＥＬ素子を有する画素がマトリックス状に配置された表示画面と、複数のソース信号線と接続され、映像信号電圧を出力するソースドライバ回路と、前記画素行を選択するゲートドライバ回路を、前記複数のソース信号線から少なくとも１本のソース信号線を選択し、選択したソース信号線に流れる電流を出力する出力線を有する選択回路を有するＥＬ表示装置において、前記画素には、前記ＥＬ素子に電流を供給する駆動用トランジスタと、第１のスイッチトランジスタと、第２のスイッチトランジスタと、第３のスイッチトランジスタと、第４のスイッチトランジスタと、第５のスイッチトランジスタとが形成されており、前記駆動用トランジスタはゲート端子と第１の端子と第２の端子を有し、前記第１のスイッチトランジスタの第１の端子は、第１の電圧が印加された配線と接続され、前記第１のスイッチトランジスタの第２の端子は、前記駆動用トランジスタのゲート端子と接続され、前記第１のスイッチトランジスタの第１の端子は、第１の電圧が印加され、前記第１のスイッチトランジスタの第２の端子は、前記駆動用トランジスタのゲート端子と接続され、前記第２のスイッチトランジスタの第１の端子は、前記駆動用トランジスタの第１の端子と接続され、前記第２のスイッチトランジスタの第２の端子は、前記駆動用トランジスタのゲート端子と接続され、前記第３のスイッチトランジスタの第１の端子は、前記駆動用トランジスタの第１の端子と接続され、前記第３のスイッチトランジスタの第２の端子は、前記ＥＬ素子の１端子と接続され、前記第４のスイッチトランジスタの第１の端子は、前記ソース信号線と接続され、前記第４のスイッチトランジスタの第２の端子は、前記駆動用トランジスタの第２の端子と接続され、前記第５のスイッチトランジスタの第１の端子は、第２の電圧が印加され、前記第５のスイッチトランジスタの第２の端子は、前記駆動用トランジスタの第２の端子と接続されており、第１の期間に、前記第１のスイッチトランジスタをオンさせて、前記駆動用トランジスタに、前記第１の電圧を印加し、第１の期間後の第２の期間に、前記第２のスイッチトランジスタ及び前記第４のスイッチトランジスタをオンさせて、前記駆動用トランジスタに、前記ソース信号線に印加された第３の電圧を印加し、第２の期間後の第３の期間に、前記第３のスイッチトランジスタ及び前記第４のスイッチトランジスタをオンさせて、前記ソース信号線に印加された第２の電圧を印加し、前記第３の期間に、前記選択回路は少なくとも１本のソース信号線を選択し、前記出力線に流れる電流値を取得することを特徴とするＥＬ表示装置の駆動方法である。